(57)【要約】【課題】ステージ上の遊技球を機械的動作により所定方向に案内する作動案内手段を設けているにも拘わらず、球誘導装置の組み立て作業等を容易に行うことが可能な弾球遊技機を提供する。【解決手段】遊技球が滞留可能で且つ滞留中の遊技球を所定方向へ落下させるべく誘導するステージ１７２と、回転動作によりステージ１７２上の遊技球を所定方向に案内する回転体６５ａ，６５ｂとを有する球誘導装置２３を遊技盤１３上に装着し、球誘導装置２３は、遊技盤１３の前側から装着される前構造体４１と後側から装着される後構造体４２とを備え、後構造体４２側に回転体６５ａ，６５ｂを、前構造体４１側に、ステージ１７２と、回転体６５ａ，６５ｂが後側から挿入される挿入部１７６ａ，１７６ｂとを設けている。【選択図】  図１４
2004357845.tif 000002
【特許請求の範囲】
【請求項１】
遊技球が不特定時間だけ滞留可能で且つ滞留中の遊技球を所定方向へ落下させるべく誘導するステージ（１７１）（１７２）と、所定の機械的動作により前記ステージ（１７１）（１７２）上の遊技球を所定方向に案内する作動案内手段（６５ａ）（６５ｂ）とを有する球誘導装置（２３）を、遊技盤（１３）上の所定位置に装着した弾球遊技機において、前記球誘導装置（２３）は、遊技盤（１３）の前側から装着される前構造体（４１）と、遊技盤（１３）の後側から装着される後構造体（４２）とを備え、前記後構造体（４２）側には前記作動案内手段（６５ａ）（６５ｂ）が、前記前構造体（４１）側には、前記ステージ（１７１）（１７２）と、前記作動案内手段（６５ａ）（６５）ｂが後側から挿脱可能に挿入される挿入部（１７６ａ）（１７６ｂ）とが夫々設けられていることを特徴とする弾球遊技機。
【請求項２】
前記作動案内手段（６５ａ）（６５ｂ）は、遊技球を吸着可能な吸着手段（１０６）を備え且つ所定の軸廻りに回転して前記ステージ（１７１）（１７２）上の遊技球を前記吸着手段（１０６）に吸着させて所定方向に搬送可能な回転体（６５ａ）（６５ｂ）により構成されていることを特徴とする請求項１に記載の弾球遊技機。
【請求項３】
前記回転体（６５ａ）（６５ｂ）は、その外周面が略円筒状に形成され、その外周面上の１又は複数箇所に前記吸着手段（１０６）が配置されると共に、その前端面には前記外周面上の吸着手段（１０６）の位置を示す吸着位置認識マーク（１１０）が設けられ、前記挿入部（１７６ａ）（１７６ｂ）の前側には、前記回転体（６５ａ）（６５ｂ）の前端面を略覆う前カバー部（１７９）が配置され、その前カバー部（１７９）に、前記吸着位置認識マーク（１１０）を前側から視認可能な透視窓（１８１）を設けたことを特徴とする請求項２に記載の弾球遊技機。
【請求項４】
前記ステージ（１２５）上には、所定の遊技球検出手段（２４）の上側に遊技球を落下させる第１落下案内部（１８２）が設けられ、前記回転体（６５ａ）（６５ｂ）は、前記第１落下案内部（１８２）の一側又は両側に配置され且つ前記吸着手段（１０６）に吸着された遊技球を前記第１落下案内部（１８２）側に搬送可能な方向に回転駆動されるように構成されていることを特徴とする請求項２又は３に記載の弾球遊技機。
【請求項５】
前記ステージ（１７１）（１７２）上には、前記回転体（６５ａ）（６５ｂ）に対して前記第１落下案内部（１８２）と反対側に、前記遊技球検出手段（２４）から外れた位置に遊技球を落下させる第２落下案内部（１８３）が設けられていることを特徴とする請求項４に記載の弾球遊技機。
【請求項６】
前記ステージ（１７１）（１７２）は、入球部（１２６）に入球した遊技球を最初に滞留させる上部ステージ（１７１）と、該上部ステージ（１７１）よりも低い位置に設けられ且つ前記上部ステージ（１７１）側から落下した遊技球を滞留させる下部ステージ（１７２）とを備え、前記挿入部（１７６ａ）（１７６ｂ）は前記下部ステージ（１７２）側に設けられていることを特徴とする請求項５に記載の弾球遊技機。
【請求項７】
前記ステージ（１７１）（１７２）には、前記上部ステージ（１７１）から下部ステージ（１７２）側に遊技球を落下させる第３落下案内部（１９１）が設けられ、該第３落下案内部（１９１）は、前記回転体（６５ａ）（６５ｂ）の前記第２落下案内部（１８３）側に対応して設けられていることを特徴とする請求項６に記載の弾球遊技機。
【請求項８】
前記第３落下案内部（１９１）は、前記上部ステージ（１７１）から下部ステージ（１７２）側に落下する遊技球を前記回転体（６５ａ）（６５ｂ）側に案内する回転体側案内手段（１９８）を備えていることを特徴とする請求項７に記載の弾球遊技機。
【発明の詳細な説明】
【０００１】
【発明の属する技術分野】
本発明は、パチンコ機、アレンジボール機、雀球遊技機等の弾球遊技機に関するものである。
【０００２】
【従来の技術】
パチンコ機、アレンジボール機等の弾球遊技機においては、遊技盤にガイドレールを装着し、このガイドレールの内側の遊技領域に液晶式表示手段を備えた中央ユニット、入賞手段等の各種の遊技部品を配置している。
【０００３】
また、所定の遊技部品、例えば中央ユニットのフレーム部分に、遊技球が入球可能な入球部と、この入球部に入球した遊技球が不特定時間だけ滞留可能で且つ滞留中の遊技球を所定方向へ落下させるべく誘導する平面状又は曲面状のステージとを設け、例えばステージの中央から前側に落下した遊技球は高い確率で所定の入賞手段に入賞するように構成したものがある（例えば特許文献１参照）。
【０００４】
この種の遊技部品（球誘導装置）では、遊技球の動作に意外性を持たせて興趣を喚起するべく、ステージ上面を波形に形成したり、ステージ上に遊技球を案内するための突部や凹部を設けたものもある。更に、機械的動作、例えば回転動作を行う作動案内手段をステージ上又はその近傍に設け、この作動案内手段によりステージ上の遊技球を所定方向に積極的に案内するように構成することも考えられる。
【０００５】
【特許文献１】
特開２００２−２２４３１８号公報
【０００６】
【発明が解決しようとする課題】
ところで、中央ユニットは、重量物である液晶表示手段を遊技盤の裏側で保持する必要があり、しかも遊技盤の前側では液晶画面の周囲を見栄え良く装飾する必要があるため、通常は遊技盤に対して前側から装着する前構造体と、遊技盤に対して後側から装着する後構造体とを備えたものが多い。このような中央表示装置を、上述した作動案内手段を有する球誘導装置として用いる場合、液晶画面よりも前側に配置するステージと作動案内手段とを前構造体側に設け、作動案内手段を駆動するモータ等の駆動手段も前構造体側に設けると、前構造体が大型化し、限られた遊技領域内における周辺領域を必要以上に圧迫し、また見栄えも悪くなる欠点がある。更に、駆動手段に通電するための配線を前構造体側に接続する必要があるため、中央ユニットの遊技盤への装着作業やその後の結線作業等が煩雑になり、作業効率が悪くなる欠点もあった。
【０００７】
一方、前構造体側の作動案内手段とは別に、駆動手段を後構造体側に設けると、作動案内手段と駆動手段との連結部分の構造が複雑になると共に、球誘導装置の組み立て、即ち前構造体と後構造体との組み立て作業が繁雑となる欠点がある。
【０００８】
本発明は、このような問題点に鑑み、ステージ上の遊技球を機械的動作により所定方向に案内する作動案内手段を設けているにも拘わらず、球誘導装置における前構造体側を小型化して遊技領域を広く利用することができ、更に球誘導装置の組み立て作業、球誘導装置の遊技盤への着脱作業等を極めて容易に行うことが可能な弾球遊技機を提供することを目的とする。
【０００９】
【課題を解決するための手段】
本発明は、遊技球が不特定時間だけ滞留可能で且つ滞留中の遊技球を所定方向へ落下させるべく誘導するステージ１７１，１７２と、所定の機械的動作により前記ステージ１７１，１７２上の遊技球を所定方向に案内する作動案内手段６５ａ，６５ｂとを有する球誘導装置２３を、遊技盤１３上の所定位置に装着した弾球遊技機において、前記球誘導装置２３は、遊技盤１３の前側から装着される前構造体４１と、遊技盤１３の後側から装着される後構造体４２とを備え、前記後構造体４２側には前記作動案内手段６５ａ，６５ｂが、前記前構造体４１側には、前記ステージ１７１，１７２と、前記作動案内手段６５ａ，６５ｂが後側から挿脱可能に挿入される挿入部１７６ａ，１７６ｂとが夫々設けられているものである。
【００１０】
【発明の実施の形態】
以下、本発明の実施形態を図面に基づいて詳述する。図１〜図１６は本発明をパチンコ機として具現化した一実施形態を例示している。図１において、１は遊技機本体で、矩形状の外枠２の前側に、上下一対のヒンジ４を介して前枠３が開閉自在に枢着されている。５はガラス扉、６は前面開閉板で、これらは前枠３の窓孔７に対応して上下に配置され、前枠３に開閉自在に枢支されている。
【００１１】
８は発射用の遊技球を貯留する上皿で、前面開閉板６の前側に装着され、上皿カバー９により覆われている。また、１０は余剰球等を貯留する下皿、１１は灰皿で、これらは前面開閉板６の下側で前枠３の前側に左右に配置され、下皿カバー１２により覆われている。１３は遊技盤で、前枠３の窓孔７に対応するように、前枠３の裏側に設けられる図外の遊技盤装着枠に裏側から着脱自在に装着され、窓孔７の下部側で前枠３の裏側に装着された図外の支持板により下側から支持されている。
【００１２】
１６は発射手段で、下皿１０の一側で前枠３の前側に装着された発射ハンドル１７と、支持板の前側に装着された発射レール１８と、前枠３の裏側に配置された発射モータ１９及び打撃槌２０等を備え、発射ハンドル１７を操作したときに、発射モータ１９により打撃槌２０が作動して、前面開閉板６の裏側に装着された図外の球送り手段により発射レール１８上に１個ずつ供給される遊技球を遊技盤１３側に発射させるように構成されている。
【００１３】
遊技盤１３は、図２に示すようにベニヤ板等を略正方形状に切断したものであって、その前側には、発射手段１６により発射された遊技球を案内するガイドレール２１が環状に装着されると共に、そのガイドレール２１の内側の遊技領域２２に、中央ユニット２３、特別図柄始動手段２４、大入賞手段２５、普通図柄始動手段２６、普通入賞手段２７等の各遊技部品が配置され、また大入賞手段２５の下方にアウト口２８が設けられている。中央ユニット２３には、例えばその略中央部分に液晶表示手段２９が設けられており、この液晶表示手段２９は、普通図柄表示手段３０、特別図柄表示手段３１、普通保留個数表示手段３２及び特別保留個数表示手段３３を構成している。
【００１４】
普通図柄表示手段３０は、１個又は複数個、例えば１個の普通図柄を液晶表示手段２９の表示画面３４上の所定の普通図柄表示領域３４ａに変動表示可能であり、通過ゲート等よりなる普通図柄始動手段２６が遊技球を検出することを条件にその普通図柄が所定時間変動して、普通図柄始動手段２６による遊技球検出時に取得された当たり判定用乱数値が予め定められた当たり判定値と一致する場合には当たり態様（所定種類の図柄）で、それ以外の場合には外れ態様で停止するように構成されている。
【００１５】
また、普通図柄表示手段３０の変動表示中に普通図柄始動手段２６が遊技球を検出した場合には、その検出時に取得された当たり判定用乱数値が予め定められた上限保留個数、例えば４個を限度として記憶されると共に、普通保留個数表示手段３２が液晶表示手段２９の表示画面３４上の所定の普通保留個数表示領域３４ｃに当たり判定用乱数値の記憶個数（普通保留個数）を表示して、その時点での普通保留個数を遊技者に報知するように構成されている。
【００１６】
特別図柄始動手段２４は、開閉自在な左右一対の開閉爪２４ａを備えた可変作動式の電動式チューリップ等により構成され、普通図柄表示手段３０の変動後の停止図柄が当たり態様となった場合に開閉爪２４ａが所定時間開放するように構成されている。なお、特別図柄始動手段２４は、中央ユニット２３の左右方向略中央部分の下側に配置されている。
【００１７】
特別図柄表示手段３１は、１個又は複数個、例えば左右方向に３個の特別図柄を液晶表示手段２９の表示画面３４上の所定の特別図柄表示領域３４ｂに変動表示可能であり、特別図柄始動手段２４が遊技球を検出することを条件に所定の変動パターンに従って所定時間変動して、例えば左、右、中等の所定の順序で停止するように構成されている。特別図柄表示手段３１による特別図柄の変動後の停止図柄は、特別図柄始動手段２４による遊技球検出時に取得された大当たり判定用乱数値が予め定められた大当たり判定値と一致した場合には例えば全ての特別図柄が同一となる大当たり態様となり、それ以外の場合には特別図柄の少なくとも１つが異なる図柄となる外れ態様となる。
【００１８】
また、特別図柄の変動表示中、又は後述する特別利益状態中に特別図柄始動手段２４が遊技球を検出した場合には、その検出時に取得された大当たり判定用乱数値等が所定の上限保留個数、例えば４個を限度として記憶されると共に、特別保留個数表示手段３３が液晶表示手段２９の表示画面３４上の所定の特別保留個数表示領域３４ｄに大当たり判定用乱数値の記憶個数（特別保留個数）を表示して、その時点での特別保留個数を遊技者に報知するように構成されている。なお、特別保留個数表示手段３３は、保留記憶されている大当たり判定用乱数値が大当たり判定値と一致しているか否か等の情報に基づいて、その特別保留個数の表示態様を変化させるようにしてもよい。
【００１９】
大入賞手段２５は、下部側の横軸心廻りに開閉する開閉板２５ａを備えた可変作動式であって、特別図柄表示手段３１の変動後の特別図柄が大当たり態様となることに基づいて特別利益状態が発生したときに、開閉板２５ａが前側に所定時間開放して、その上に落下した遊技球を内部へと入賞させるように構成されている。また大入賞手段２５は、その内部側が２又は３個等の複数個の通路に分割され、その一部の通路が特定領域３５となっており、遊技球がこの特定領域３５を通過することを条件に、特別利益状態が継続されるように構成されている。
【００２０】
なお、大入賞手段２５は、開放から所定時間（例えば３０秒間）が経過するか、所定時間内に所定数（例えば１０個）の遊技球が入賞することを条件に開閉板２５ａを閉じ、遊技球が特定領域３５を通過することを条件に、最大所定回数（例えば１６回）まで開閉動作を繰り返すように構成されている。
【００２１】
続いて、中央ユニット２３の構成について更に詳しく説明する。中央ユニット２３は、球誘導装置の一例を構成するもので、遊技盤１３に対して遊技領域２２の略中央位置で且つ特別図柄始動手段２４の上側に装着されており、図３〜図５等に示すように、遊技盤１３の装着孔１３ａに前側から着脱自在に装着される前構造体４１と、この前構造体４１に対応して遊技盤１３の後側から着脱自在に装着される後構造体４２と、この後構造体４２の後側に着脱自在に装着される液晶表示手段２９とを備えている。
【００２２】
後構造体４２は、図３，図５〜図８，図１４等に示すように、ケース体５１と、このケース体５１の左右両側に設けられた固定板部５２と、ケース体５１の下部側に設けられた作動ユニット５３とを備えている。
【００２３】
ケース体５１は、例えば合成樹脂製で、前側が開口した略矩形箱形に形成され、その後壁５４には、液晶表示手段２９の表示画面３４に対応する略矩形状の開口窓５５と、作動ユニット５３に対応する作動ユニット装着孔５６とが上下に配置されている。また、ケース体５１の後壁５４上には、作動ユニット５３を着脱自在に装着するための作動ユニット固定手段５８と、前構造体４１側と係合して互いに位置決めするための位置決め嵌合受け部５９とが例えば一体に設けられている。
【００２４】
作動ユニット固定手段５８は、図８等に示すように、例えば作動ユニット装着孔５６の左右両側に配置され且つ後壁５４の前側に突出する位置決めリブ６３と、この位置決めリブ６３と一体的に又はその近傍に配置される固定ボス部６４とを備えている。
【００２５】
位置決め嵌合受け部５９は、図５等に示すように、ケース体５１の後壁５４の所定位置、例えば上部側の左右に配置され、後壁５４の前側に突出する円筒状に形成されており、前構造体４１と後構造体４２とを遊技盤１３に装着したとき、前構造体４１側の位置決め嵌合部が夫々嵌合して、互いに遊技盤１３の面内方向に位置決めされるようになっている。
【００２６】
また、ケース体５１の後壁５４の背面側には、液晶表示手段２９が、前側の表示画面３４を開口窓５５に略合致させた状態で、ネジ止め、その他の方法で着脱自在に装着されている（図３参照）。
【００２７】
固定板部５２は、ケース体５１の左右両側の前縁側から遊技盤１３の裏面に沿って外側に張り出すように一体形成されており、ネジ等の固定手段により遊技盤１３の裏側に着脱自在に固定されるようになっている。
【００２８】
作動ユニット５３は、図５〜図８に示すように、１又は複数個、例えば左右一対の回転体６５ａ，６５ｂと、これらの回転体６５ａ，６５ｂを回転駆動するための駆動モータ６６と、この駆動モータ６６の駆動力を各回転体６５ａ，６５ｂに伝達するための回転伝達手段６７と、この回転伝達手段６７を収容するギアケース６８等を備えている。
【００２９】
ギアケース６８は、前ケース体６９と後ケース体７０とで構成されている。前ケース体６９は、後側が開放した略矩形箱型に形成されており、その左右両縁部には、ケース体５１側の固定ボス部６４が後側から嵌合可能な固定片７１が突起状に一体形成されている。後ケース体７０は、前ケース体６９の後側の開口面に略対応する大きさに形成され、その左右方向中央部分に後側に膨出する膨出部７２が形成されており、例えばその膨出部７２の左右両側の側部固定面７３においてネジ止め等により前ケース体６９側に着脱自在に固定されている。
【００３０】
駆動モータ６６は、ステッピングモータ等により構成されており、その駆動軸７４の先端側をギアケース６８の内部側に突出させた状態で後ケース体７０の後壁部７２ａの背面側所定位置、例えば左右方向一端側にネジ等により着脱自在に固定されている。駆動軸７４の先端側には、駆動ギア７５が固定されている。
【００３１】
なお、ギアケース６８には、駆動ギア７５を固定した状態で駆動モータ６６の着脱を可能とするためのモータ着脱用開口部７６が形成されている。このモータ着脱用開口部７６は、前ケース体６９側の側壁部、例えば下側壁部７７に形成され且つ駆動ギア７５が通過可能な大きさのギア通過開口部７８と、後ケース体７０の膨出部７２に形成され且つギア通過開口部７８の後側から駆動モータ６６の装着位置に達するスリット状の案内開口部７９とで構成されている。
【００３２】
回転伝達手段６７は、前後方向に配置され且つ回転体６５ａ，６５ｂを夫々回転自在に保持する左右一対の回転体保持軸８１ａ，８１ｂと、これら回転体保持軸８１ａ，８１ｂに固定される回転体駆動ギア８２ａ，８２ｂと、これら回転体駆動ギア８２ａ，８２ｂ間を連結するように配置された１又は複数、例えば２つの連結ギア８３，８４と、前後方向に配置され且つ連結ギア８３，８４を回転自在に保持する連結保持軸８５，８６等を備え、回転体保持軸８１ａ，８１ｂの前端側のみをギアケース６８の前側に突出させた状態でギアケース６８内に収容されている。
【００３３】
また、ギアケース６８には、後ケース体７０側に回転体保持軸８１ａ，８１ｂの後端側を回転自在に保持する軸保持部８７ａ，８７ｂと連結保持軸８５，８６の後端側を回転自在に保持する軸保持部８８，８９とが、前ケース体６９側に回転体保持軸８１ａ，８１ｂの軸方向略中央部分を回転自在に保持する軸保持部９０ａ，９０ｂと連結保持軸８５，８６の前端側を回転自在に保持する軸保持部９１，９２とが設けられている。
【００３４】
なお、軸保持部８７ａ，８７ｂ，８８，８９は、後ケース体７０側の後壁部７２ａに後ろ向きの凹入状に設けられており、軸保持部９１，９２は前ケース体６９の前壁部６９ａに前向きの凹入状に設けられており、前ケース体６９側の軸保持部９０ａ，９０ｂは前ケース体６９の前壁部６９ａに前向きに突出する円筒状に形成されている。
【００３５】
回転体保持軸８１ａ，８１ｂは、ギアケース６８の上部側に左右方向に所定距離を置いて配置され、その後端側がブッシュ９３を介して軸保持部８７ａ，８７ｂに、軸方向略中央部分がブッシュ９４を介して軸保持部９０ａ，９０ｂに、夫々回転自在に保持され、前端側は軸保持部９０ａ，９０ｂを介して前側に突出している。回転体駆動ギア８２ａ，８２ｂは、回転体保持軸８１ａ，８１ｂ上で且つブッシュ９３とブッシュ９４との間に装着されている。
【００３６】
回転体保持軸８１ａ，８１ｂの前端側と後端側とには、夫々軸方向所定範囲にわたってその外周側に平面状の切り欠き部、即ち前端側切欠部９５と後端側切欠部９６とが形成されている。回転体駆動ギア８２ａ，８２ｂ側の装着孔９７は、後端側切欠部９６に対応する断面形状に形成されている。これにより、回転体駆動ギア８２ａ，８２ｂは、回転体保持軸８１ａ，８１ｂに対してその軸廻りに摺動不可能であり、回転体保持軸８１ａ，８１ｂと回転体駆動ギア８２ａ，８２ｂとは一体に回転する。
【００３７】
また、回転体駆動ギア８２ａ，８２ｂは、後端側切欠部９６の前端側に当接して回転体保持軸８１ａ，８１ｂの前端側への移動が規制されている。更に、回転体保持軸８１ａ，８１ｂには、ブッシュ９３と回転体駆動ギア８２ａ，８２ｂとの間に、外周側に突出する例えば環状の固定部材９８が固定されており、この固定部材９８により、回転体駆動ギア８２ａ，８２ｂの後端側への移動が規制されている。即ち、回転体駆動ギア８２ａ，８２ｂは、後端側切欠部９６の前端側と固定部材９８とに挟まれて回転体保持軸８１ａ，８１ｂの軸方向への移動が規制されており、これにより、回転体保持軸８１ａ，８１ｂのギアケース６８の前側への脱落が防止される。なお、回転体駆動ギア８２ａ，８２ｂは、その外径、歯数共に同一に形成されている。
【００３８】
連結ギア８３，８４は、例えば回転体駆動ギア８２ａ，８２ｂを結ぶ線上に配置されており、回転体駆動ギア８２ａ，８２ｂ間を直列状に連結している。連結ギア８３，８４を保持する連結保持軸８５，８６は、その後端側がブッシュ９９を介して軸保持部８８，８９に、その前端側がブッシュ１００を介して軸保持部９１，９２に、夫々回転自在に保持されている。なお、連結ギア８３，８４は、その外径、歯数共に同一に形成されており、例えば回転体駆動ギア８２ａ，８２ｂとも同一となっている。
【００３９】
回転体６５ａ，６５ｂは、その外周面が略円筒状に形成された例えば略円柱状で、回転体保持軸８１ａ，８１ｂの前端側に同心状に固定され、回転体保持軸８１ａ，８１ｂと共にその軸廻りに回転可能となっている。
【００４０】
回転体６５ａ，６５ｂの後端面側には、その中心部に前向き凹入状の軸固定孔１０１が形成され、この軸固定孔１０１に回転体保持軸８１ａ，８１ｂの前端側が挿入されている。この軸固定孔１０１は、前端側切欠部９５に対応する断面形状に形成されている。これにより、回転体６５ａ，６５ｂは、回転体保持軸８１ａ，８１ｂに対してその軸廻りに摺動不可能であり、回転体保持軸８１ａ，８１ｂと回転体６５ａ，６５ｂとは一体に回転する。
【００４１】
また、回転体６５ａ，６５ｂの前端面側には、その中心部に後向き凹入状のネジ挿入孔１０２が、軸固定孔１０１との間に所定厚さのネジ固定面１０３を残して形成されている。回転体６５ａ，６５ｂは、ネジ挿入孔１０２側からネジ固定面１０３を介して回転体保持軸８１ａ，８１ｂの前端面に螺着される固定ネジ１０４により、回転体保持軸８１ａ，８１ｂに着脱自在に固定されている。
【００４２】
回転体６５ａ，６５ｂには、その外周面上に凹入状の装着孔１０５が１又は複数、例えば各１個設けられており、それら装着孔１０５に例えば短円柱状の磁石１０６が埋設されている。
【００４３】
回転体６５ａ，６５ｂの外周面上には、装着孔１０５の位置を含む軸方向所定幅、例えばその前縁側から所定幅の領域で且つ周方向略全面にわたって、外周側装飾シート１０７が例えば粘着剤により貼着されている。この外周側装飾シート１０７には、磁石１０６に対応する位置に設けられる第１吸着位置認識マーク１０８の他、任意の装飾が印刷等により施されている。なお、回転体６５ａ，６５ｂの外周面は、外周側装飾シート１０７を貼着したときにその外径が略一様となるように、外周側装飾シート１０７の装着部分がその他の部分よりもこの外周側装飾シート１０７の厚さ分だけ小径に形成されている。
【００４４】
また、回転体６５ａ，６５ｂの前端面上には、例えばネジ挿入孔１０２と外周側所定幅の部分とを除く略環状の領域に、前端側装飾シート１０９が例えば粘着剤により貼着されている。この前端側装飾シート１０９には、磁石１０６に対応する位置、即ち磁石１０６と略同じ周方向位置に設けられる第２吸着位置認識マーク１１０の他、任意の装飾が印刷等により施されている。なお、回転体６５ａ，６５ｂの前端面は、前端側装飾シート１０９を貼着したときに略平面状となるように、前端側装飾シート１０９の装着部分がその外周側の所定幅部分よりもこの前端側装飾シート１０９の厚さ分だけ後向きの凹入状に形成されている。
【００４５】
磁石１０６の位置を示す第１吸着位置認識マーク１０８及び第２吸着位置認識マーク１１０は、四角、丸、星、その他の任意の図形等により形成することができ、他の装飾部分と明確に区別できるように例えばその周囲と異なる色に着色されている。
【００４６】
なお、回転体６５ａ，６５ｂの後端側には、半径方向に張り出す鍔部１１１が一体に形成されており、その周上の所定位置、例えば磁石１０６と反対側の位置に直線状の切り欠き部１１２が形成されている。
【００４７】
回転体６５ａ，６５ｂに直結される回転体駆動ギア８２ａ，８２ｂは、２つの連結ギア８３，８４により直列状に連結されているため、回転体６５ａ，６５ｂは互いに逆方向に回転する。また、駆動モータ６６は、その駆動軸７４が正面視時計方向に所定速度で回転するように制御される。これにより、図６に矢印で示すように、向かって右側の回転体６５ａは正面視反時計方向に、左側の回転体６５ｂは正面視時計方向に回転する。また、本実施形態では、回転体駆動ギア８２ａ，８２ｂ、連結ギア８３，８４が全てその外径、歯数共に同一に形成されているため、２つの回転体６５ａ，６５ｂは互いに同じ速度で回転する。
【００４８】
なお、本実施形態では、左右の回転体６５ａ，６５ｂのうちの一方の磁石１０６が上側にきたときに他方の磁石１０６が下側に位置するように、各回転体６５ａ，６５ｂの相対回転位置が設定されている。もちろん、各回転体６５ａ，６５ｂの相対回転位置は任意に設定可能である。
【００４９】
以上のように構成された作動ユニット５３は、後構造体４２の前側から装着され、作動ユニット固定手段５８により着脱自在に固定される。即ち、ギアケース６８が、後ケース体７０側の側部固定面７３を位置決めリブ６３の前縁側に当接させた状態で、固定片７１を固定ボス部６４に対してネジ止め等により着脱自在に固定される。このとき、駆動モータ６６及び軸保持部８７ａ，８７ｂ，８８，８９が、作動ユニット装着孔５６に対して前側から嵌合する。
【００５０】
以上のような後構造体４２に対して、遊技盤１３の前側から装着される前構造体４１は、図３，図４，図８〜図１４等に示すように、遊技盤１３の装着孔１３ａに対して前側から嵌合、固定される本体枠１２１と、この本体枠１２１の上部前側を覆う装飾カバー１２２と、本体枠１２１の上部後側を覆う後カバー１２３と、本体枠１２１の略中央部の後側に装着される表示枠１２４と、本体枠１２１の下部に装着されるステージ部材１２５と、入球口（入球部）１２６に入球した遊技球をステージ部材１２５側に案内する案内通路部１２７とを備えている。
【００５１】
本体枠１２１は、液晶表示手段２９の表示画面３４等の周囲を取り囲む枠状に形成され、図９等に示すように、その略中央部分で例えば左右方向一方側、例えば向かって右側に偏位した位置には表示画面３４に対応する略矩形状の表示開口部１３１が、その表示開口部１３１の一側、例えば向かって左側には、表示開口部１３１側から側方に向かって凹入状に形成され且つ案内通路部１２７が装着される通路開口部１３２が、夫々設けられている。本体枠１２１は、その上縁側が正面視円弧状に形成されており、また下縁側は左右方向中央部分に向かってその両側が傾斜した浅い略Ｖ字型に形成されている。
【００５２】
また、本体枠１２１の前縁側には、遊技盤１３の表面に沿って外向きに鍔部１３３が延設されている。本体枠１２１は、その略全体を遊技盤１３の装着孔１３ａに前側から嵌合させ、鍔部１３３を遊技盤１３の前面側に当接させた状態で、例えばネジ等により着脱自在に固定されている。
【００５３】
装飾カバー１２２は、本体枠１２１における表示開口部１３１及び通路開口部１３２よりも上側の領域を前側から覆うもので、本体枠１２１に対して前側から着脱自在に装着されており、その略全体が本体枠１２１の鍔部１３３よりも前側に突出している。
【００５４】
装飾カバー１２２の上縁側は、本体枠１２１の上縁側に沿って例えば上向きの円弧状に形成された廂部１３４となっており、中央ユニット２３の上側に落下してきた遊技球は、この廂部１３４により左右一方側に案内される。
【００５５】
また、その廂部１３４の左右一側で且つ本体枠１２１側の通路開口部１３２の上側に対応する位置には、所定形状、例えば正面視略円形状の入球部カバー１３５が例えば一体に設けられている。この入球部カバー１３５には、図１２等に示すように、遊技領域２２側に向けて開口し且つ遊技球が入球可能な入球口１２６と、入球口１２６の下流側に設けられ且つ入球口１２６に入球した遊技球を所定方向、例えば後ろ向きに案内する入球案内通路１３７とを備えている。なお、入球案内通路１３７は、本体枠１２１側の通路開口部１３２の上側に配置される接続案内通路１３８の上流側に接続されている。
【００５６】
装飾カバー１２２の前面側で且つ廂部１３４の下側には、例えば立体的な装飾物が一体又は別体に設けられている。また、装飾カバー１２２の少なくとも一部は透光性を有し、この装飾カバー１２２の後側に配置されたＬＥＤ、ランプ等の発光手段１３９が点灯したときにそれに対応する位置が発光するようになっている。なお、発光手段１３９は、本体枠１２１の前側及び／又は後側に配置された基板１４０上に設けられている。
【００５７】
後カバー１２３は、本体枠１２１の上部後側を覆うもので、例えば本体枠１２１の前側の装飾カバー１２２に略対応する形状に形成され、本体枠１２１側の基板１４０等を覆うように本体枠１２１の後側に着脱自在に固定されている。
【００５８】
表示枠１２４は、液晶表示手段２９の表示画面３４の周囲を装飾するもので、図１０，図１１等に示すように、表示画面３４の外周側に対応する略矩形枠状に形成されており、表示画面３４の外周に沿って配置される前後方向の内壁部１４１と、その内壁部１４１の外側に配置される前後方向の外壁部１４２と、それら内壁部１４１及び外壁部１４２の前縁側を接続する前壁部１４３とで断面略コの字型に形成されている。
【００５９】
表示枠１２４は、その内壁部１４１が本体枠１２１側の表示開口部１３１を構成する周壁部１４４よりも内側に、その外壁部１４２が周壁部１４４よりも外側に夫々配置される大きさに形成されており、前壁部１４３の前面が周壁部１４４の前縁側に略当接した状態で、本体枠１２１の後側に着脱自在に固定されている。
【００６０】
表示枠１２４の後端側には、液晶表示手段２９側の特別保留個数表示領域３４ｄに対応する領域、例えば内壁部１４１の向かって右側の縁部に沿った所定幅の領域を前側から透視可能に覆う透明板１４５が設けられている。この透明板１４５は、その後面側が液晶表示手段２９の表示画面３４の前面側に略当接又は近接するように、内壁部１４１の後縁側に沿って配置され、ネジ等により着脱自在に固定されている。透明板１４５は、その略前面にわたって一定厚さに形成しても良いし、例えば凸レンズ状に形成して、特別保留個数表示領域３４ｄの表示画像を拡大するように構成してもよい。
【００６１】
なお、本実施形態では、表示枠１２４で囲まれた液晶表示手段２９の表示画面３４のうち、透明板１４５で覆われていない部分、即ち特別保留個数表示領域３４ｄ以外の部分が、本体枠１２１の左右方向の略中央に位置している。
【００６２】
また、表示枠１２４には、後構造体４２側の位置決め嵌合受け部５９に前側から嵌合する位置決め嵌合部１４６が、例えば前壁部１４３の後側に突起状に設けられている。位置決め嵌合部１４６は、前構造体４１と後構造体４２とを遊技盤１３に装着したとき、後構造体４２側の円筒状の位置決め嵌合受け部５９に前側から嵌合して、互いに遊技盤１３の面内方向に位置決めされるようになっている。
【００６３】
案内通路部１２７は、入球口１２６に入球した遊技球をステージ部材１２５側に案内するもので、その内部に、縦方向の螺旋状に形成された案内通路１５１が形成されており、図９〜図１３等に示すように、案内通路１５１の外周側を形成する略円筒状の周壁部１５２を有する通路ケース１５３と、この通路ケース１５３内に周壁部１５２の中心軸に沿って縦方向に配置され且つ遊技球を螺旋状に案内する案内面１５４を有する螺旋案内部材１５５とを備えている。
【００６４】
通路ケース１５３には、案内通路１５１の上流端側に対応する位置に入口１５６が、案内通路１５１の下流端側に対応する位置に出口１５７が、夫々開口状に形成されており、案内通路部１２７を本体枠１２１側の通路開口部１３２に装着したとき、入口１５６が接続案内通路１３８の下流端側に連通し、出口１５７がステージ部材１２５側に開口するようになっている。
【００６５】
また、通路ケース１５３は、図１１等に示すように、その前半分の前通路ケース１５８と、後半分の後通路ケース１５９とで構成されている。後通路ケース１５９は、例えば表示枠１２４の前壁部１４３の前側に一体に形成されており、螺旋案内部材１５５は、この後通路ケース１５９側にネジ等により着脱自在に固定されている。なお、出口１５７は例えばこの後通路ケース１５９側に設けられている。
【００６６】
前通路ケース１５８は、表示枠１２４等とは別に単体で形成されており、本体枠１２１側の通路開口部１３２に後側から嵌合して、表示枠１２４が本体枠１２１の後側に装着されたとき、その後通路ケース１５９と前後に合致し、固定されるようになっている。前通路ケース１５８は、その外周面側が、螺旋状の案内通路１５１に沿って緩やかな膨出面を形成しており、更にその内面側には、遊技球が略当接するラインに沿って溝１６０が形成されている。また、通路ケース１５８の外周面側の所定位置、例えば上下に隣接する案内通路１５１間に対応して、１又は複数の開口孔１６１が形成されている。
【００６７】
なお、入口１５６は例えばこの前通路ケース１５８側に設けられている。また、通路ケース１５３の前側、即ち前通路ケース１５８側の少なくとも一部分は、前側から内部の遊技球を透視可能な着色透明、又は無色透明に形成することが望ましい。
【００６８】
ステージ部材１２５は、入球口１２６に入球した遊技球が不特定時間だけ滞留可能で且つその滞留中の遊技球を所定方向、例えば前側へ落下させるべく誘導するステージを形成するもので、図４，図８，図９，図１１，図１４等に示すように、前後方向所定幅で左右方向に配置された上部ステージ１７１と、この上部ステージ１７１の前側で且つ上部ステージ１７１よりも低い位置に前後方向所定幅で左右方向に配置された下部ステージ１７２と、上部ステージ１７１の前縁側と下部ステージ１７２の後縁側とを上下に接続する中間壁１７３とを例えば一体に備え、本体枠１２１に対して、その表示開口部１３１の下縁側を形成する下壁部１７４の上面側に沿って後側から嵌合されている。
【００６９】
下壁部１７４の前縁側には、鍔部１３３とは反対側、即ち内側（上側）に向けて起立する起立板１７５が一体に設けられている。下壁部１７４の上面側に沿って後側から嵌合されたステージ部材１２５は、下部ステージ１７２の前縁側がこの起立板１７５の後面側に略当接し、上部ステージ１７１の後縁側が、本体枠１２１の後側に装着される表示枠１２４の前壁部１４３の前面側で押さえられることにより、本体枠１２１に着脱自在に固定される。
【００７０】
ステージ部材１２５には、後構造体４２側の回転体６５ａ，６５ｂが後側から挿脱可能に挿入される回転体挿入部１７６ａ，１７６ｂが設けられている。これら回転体挿入部１７６ａ，１７６ｂは、中間壁１７３に設けられ且つ回転体６５ａ，６５ｂが遊嵌可能な左右一対の挿入孔１７７と、これら挿入孔１７７の前側に対応して下部ステージ１７２に設けられ且つ回転体６５ａ，６５ｂの外周面下側に沿う略半円筒状に形成された下カバー部１７８とを備えている。
【００７１】
回転体挿入部１７６ａ，１７６ｂの前側の起立板１７５には、回転体挿入部１７６ａ，１７６ｂに挿入された回転体６５ａ，６５ｂの前端面を略覆う一対の前カバー部１７９が一体に設けられている。この前カバー部１７９には、回転体６５ａ，６５ｂのネジ挿入孔１０２に対応して後側に突出する略円筒状又は略円柱状の保持軸部１８０が例えば一体に設けられている。この保持軸部１８０は、回転体６５ａ，６５ｂが回転体挿入部１７６ａ，１７６ｂに挿入されたとき、ネジ挿入孔１０２に前側から嵌合して、回転体６５ａ，６５ｂを回転自在に保持すると共に、ネジ挿入孔１０２内の固定ネジ１０４の前側を覆うようになっている。なお、保持軸部１８０は、後端側に向けて細くなるテーパー状に形成されている。
【００７２】
また、前カバー部１７９には、回転体６５ａ，６５ｂの前端面に設けられた第２吸着位置認識マーク１１０を前側から視認可能な例えば開口状の透視窓１８１が設けられている。この透視窓１８１は、例えば保持軸部１８０の外周に沿って所定幅で設けられている。また、保持軸部１８０は、透視窓１８１を半径方向に分断するように配置された１又は複数、例えば各２本の保持連結部１８０ａにより保持されている。
【００７３】
下部ステージ１７２は、上部ステージ１７１側から落下した遊技球を滞留・落下させるもので、回転体挿入部１７６ａ，１７６ｂを構成する左右一対の下カバー部１７８と、それら下カバー部１７８，１７８間を接続する下部中央落下案内部（第１落下案内部）１８２と、各下カバー部１７８に対して下部中央落下案内部１８２と反対側に夫々設けられた下部側方落下案内部（第２落下案内部）１８３と、下カバー部１７８と下部側方落下案内部１８３との間に設けられ且つ下部側方落下案内部１８３側に緩やかに傾斜する下側方案内部１８４と、下部側方落下案内部１８３の左右方向外側に夫々設けられ且つ下部側方落下案内部１８３側に傾斜する下傾斜部１８５とを一体に備えている。
【００７４】
下部中央落下案内部１８２は、その左右両側に配置される回転体６５ａ，６５ｂによって吸着、搬送されてきた遊技球を前側に落下させるもので、例えば下向きに凹入する略部分円筒面状に形成され、その左右方向中央部分には前側に向かって僅かな傾斜状に設けられた所定幅の溝部１８６が形成されている。また、この下部中央落下案内部１８２は、前構造体４１を遊技盤１３に装着したときに、特別図柄始動手段２４の直上に配置される位置、即ち本体枠１２１の外形に対する左右方向略中央の位置に配置されている。即ち、回転体６５ａ，６５ｂによって吸着、搬送され、この下部中央落下案内部１８２から前側に落下した遊技球は、高い確率で特別図柄始動手段２４に入賞するようになっている。
【００７５】
下部側方落下案内部１８３は、その両側の下側方案内部１８４及び下傾斜部１８５に滑らかに接続する下向き凹入状に形成されており、前向きに緩やかに傾斜する傾斜案内面１８３ａが設けられている。この下部側方落下案内部１８３は、回転体６５ａ，６５ｂによって下部中央落下案内部１８２側に搬送されることなく下側方案内部１８４及び下傾斜部１８５により案内されてきた遊技球をその前側、即ち特別図柄始動手段２４から側方に外れた位置に落下させるようになっている。
【００７６】
なお、下側方案内部１８４及び下傾斜部１８５の前側には、起立板１７５がそれら下側方案内部１８４及び下傾斜部１８５の前縁側上面よりも上向きに突出した下部突出リブ１８７が設けられており、遊技球が前側に落下しないようになっている。また、向かって右側の下傾斜部１８５ａは、その側方に配置される案内通路部１２７の幅分だけ、左側の下傾斜部１８５ｂに比べて左右方向長さが短くなっている。
【００７７】
上部ステージ１７１は、入球部１２６に入球した遊技球を最初に滞留させると共に下部ステージ１７２側に落下させるもので、回転体挿入部１７６ａ，１７６ｂの左右方向外側、即ち下部ステージ１７２側の下側方案内部１８４の上側に対応する位置に下向き凹入状に設けられた左右一対の上部落下案内部（第３落下案内部）１９１と、これら左右の上部落下案内部１９１間を接続する上向き膨出状の上部中央案内部１９２と、上部落下案内部１９１の左右方向外側に夫々設けられ且つ上部落下案内部１９１側に傾斜する上傾斜部１９３とを一体に備えており、その一端側、即ち案内通路部１２７側（向かって右側）の上傾斜部１９３ｂの端部が案内通路部１２７の出口１５７に連通している。
【００７８】
上傾斜部１９３、上部落下案内部１９１、上部中央案内部１９２は、互いに滑らかな曲面で接続されて全体として緩やかな波形状に形成されており、案内通路部１２７の出口１５７から流入した遊技球を左右方向に往復させつつ減速させ、左右の上部落下案内部１９１の何れかに案内するようになっている。
【００７９】
また、上部ステージ１７１の後縁側は、表示枠１２４の前壁部１４３の前側に当接しており、この前壁部１４３により後側への遊技球の移動が規制されている。また、前壁部１４３には、上部中央案内部１９２の左右方向中央部分に、前側に突出する突起部１９４が例えば上下方向に配置されている。この突起部１９４は、例えば断面三角形状に形成されており、上部ステージ１７１上を左右方向に移動する遊技球の一部を当接させて、その移動方向を例えば前向きに変化させるようになっている。
【００８０】
更に上部ステージ１７１の前側には、上部中央案内部１９２及び上傾斜部１９３の前縁部に沿って上向きに突出する上部突出リブ１９５が例えば一体に設けられており、上部中央案内部１９２及び上傾斜部１９３では遊技球が前側に落下しないようになっている。
【００８１】
上部落下案内部１９１には、前向きに緩やかに傾斜する傾斜案内面１９６が設けられ、更にその前縁側には、下向きに凹入する例えば球面状の段差案内部１９７が、中間壁１７３側にかけて設けられている。また、上部落下案内部１９１の前側には、上部ステージ１７１から下部ステージ１７２側に落下する遊技球を回転体６５ａ，６５ｂ側に案内する回転体側案内手段１９８が設けられている。
【００８２】
この回転体側案内手段１９８は、上部落下案内部１９１の左右方向外側（回転体６５ａ，６５ｂと反対側）に設けられ、例えば中間壁１７３の前側に突出するリブ状に形成されており、中間壁１７３の上縁側から段差案内部１９７の縁部に沿って段差案内部１９７の下端位置又はその手前まで配置された上案内リブ１９８ａと、その上案内リブ１９８ａの下端側から下部ステージ１７２の上面側又はその近傍まで上下方向に配置された下案内リブ１９８ｂとを備えている。
【００８３】
なお、下部ステージ１７２側の下側方案内部１８４の上面側には、その後縁側で且つ回転体側案内手段１９８と回転体６５ａ，６５ｂとの間の所定範囲に、他の部分よりも一段高く且つ前向きに緩やかに傾斜する段差部１９９が例えば一体に設けられている。
【００８４】
以上説明したような中央ユニット２３を遊技盤１３に装着する際には、まず前構造体４１を、遊技盤１３の前側から装着する（図１４，図１５（ａ）参照）。即ち、本体枠１２１を遊技盤１３の装着孔１３ａの内側に嵌合させ、鍔部１３３を、その裏面側に設けられた位置決め突起（図示省略）を遊技盤１３側の位置決め凹部（図示省略）に嵌合させつつ遊技盤１３の前面側に当接させた状態で、ネジ等により着脱自在に固定する。
【００８５】
続いて、後構造体４２を、遊技盤１３に対して後方から装着する（図３，図１５（ｂ）参照）。即ち、前側に突出する回転体６５ａ、６５ｂを前構造体４１側の回転体挿入部１７６ａ，１７６ｂに対して後側から嵌合させ、また位置決め嵌合受け部５９を前構造体４１側の位置決め嵌合部１４６に後側から嵌合させつつ、固定板部５２を遊技盤１３の裏面側に当接させてネジ等により着脱自在に固定する。
【００８６】
このとき、前構造体４１側の回転体挿入部１７６ａ，１７６ｂに後側から挿入された回転体６５ａ，６５ｂは、その前端側のネジ挿入孔１０２に、前カバー部１７９側の保持軸部１８０が前側から嵌合されると共に、その外周面の略上半分が下部ステージ１７２の上側に露出した状態となる。
【００８７】
遊技中は、駆動モータ６６の駆動により、回転体６５ａ，６５ｂが互いに異なる所定方向、即ち向かって右側の回転体６５ａは正面視反時計方向に、左側の回転体６５ｂは正面視時計方向に等速度で回転される。
【００８８】
遊技領域２２に発射された遊技球が入球口１２６に入球すると、この遊技球は入球案内通路１３７、接続案内通路１３８を介して案内通路部１２７に流入し、この案内通路部１２７内の案内通路１５１に沿って下向き螺旋状に流下した後、出口１５７から上部ステージ１７１上に流出する。
【００８９】
上部ステージ１７１上に流出した遊技球は、図１６に示すように、その慣性によって左右方向に往復移動しつつ減速し、左右の上部落下案内部１９１の何れかに案内される。上部落下案内部１９１上で左右方向の速度を失った遊技球は、傾斜案内面１９６により前側に案内され、段差案内部１９７を経て下部ステージ１７２側に落下する。このとき、遊技球は回転体側案内手段１９８により回転体６５ａ，６５ｂ側に案内されるため、下部側方落下案内部１８３側に直接落下することはなく、下側方案内部１８４の段差部１９９上に落下し、ここで回転体６５ａ，６５ｂの外周面に沿って前側に案内される。
【００９０】
この下側方案内部１８４上を前側に移動中の遊技球の側方を、回転体６５ａ，６５ｂの磁石１０６がタイミング良く上向きに通過した場合には、その遊技球は磁石１０６に吸着されて下部中央落下案内部１８２側に搬送され（図１６（ａ））、そうでない場合には回転体側案内手段１９８の前側を通って下部側方落下案内部１８３側に案内される（図１６（ｂ））。
【００９１】
回転体６５ａ，６５ｂに吸着されて下部中央落下案内部１８２側に搬送された遊技球は、前側に案内されて落下し、その直下に配置されている特別図柄始動手段２４に高い確率で入賞する。一方、下部側方落下案内部１８３側に案内された遊技球は、前側に案内されて、特別図柄始動手段２４の側方に落下する。
【００９２】
以上説明したように、本実施形態のパチンコ機では、ステージ１７１，１７２と作動案内手段としての回転体６５ａ，６５ｂとを備えた球誘導装置としての中央ユニット２３が、遊技盤１３の前側から装着される前構造体４１と、遊技盤１３の後側から装着される後構造体４２とを備え、後構造体４２側には回転体６５ａ，６５ｂが、前構造体４１側には、ステージ１７１，１７２と、回転体６５ａ，６５ｂが後側から挿脱可能に挿入される回転体挿入部１７６ａ，１７６ｂとが夫々設けられているため、ステージ上の遊技球を機械的動作により所定方向に案内する回転体６５ａ，６５ｂを設けているにも拘わらず、中央ユニット２３における前構造体４１側を小型化して遊技領域を広く利用することができ、更に回転体６５ａ，６５ｂを駆動する駆動モータ６６への配線が後構造体４２側に接続されることで中央ユニット２３の遊技盤１３への着脱作業を極めて容易に行うことが可能となる。また、回転体６５ａ，６５ｂと駆動モータ６６とを共に後構造体４２側に設けていることにより、回転体６５ａ，６５ｂと駆動モータ６６との連結部分の構造が簡略化でき、中央ユニット２３の組み立て作業、即ち前構造体４１と後構造体４２との組み立て作業も極めて容易となる。
【００９３】
回転体６５ａ，６５ｂは、その外周面が略円筒状に形成され、その外周面上の１又は複数箇所に磁石１０６が配置されると共に、その前端面には外周面上の磁石１０６の位置を示す第２吸着位置認識マーク１１０が設けられ、回転体挿入部１７６ａ，１７６ｂの前側には、回転体６５ａ，６５ｂの前端面を略覆う前カバー部１７９が配置され、その前カバー部１７９に、第１吸着位置認識マーク１１０を前側から視認可能な透視窓１８１を設けているため、遊技者は、透視窓１８１を介して見える第１吸着位置認識マーク１１０により、回転体６５ａ，６５ｂの回転位置に拘わらず磁石１０６の位置を認識することができる。
【００９４】
下部ステージ１７２上には、特別図柄始動手段２４の上側に遊技球を落下させる下部中央落下案内部１８２が設けられ、回転体６５ａ，６５ｂは、下部中央落下案内部１８２の一側又は両側に配置され且つ磁石１０６に吸着された遊技球を下部中央落下案内部１８２側に搬送可能な方向に回転駆動されるように構成されており、また下部ステージ１７２上には、回転体６５ａ，６５ｂに対して下部中央落下案内部１８２と反対側に、特別図柄始動手段２４から外れた位置に遊技球を落下させる下部側方落下案内部１８３が設けられているため、ステージ上に案内された遊技球が回転体６５ａ，６５ｂの磁石１０６に吸着されるか否かによって遊技者が得られる利益に大きな差が生じ、興趣が向上する利点がある。
【００９５】
入球口１２６に入球した遊技球を最初に滞留させる上部ステージ１７１と、この上部ステージ１７１よりも低い位置に設けられ且つ上部ステージ１７１側から落下した遊技球を滞留させる下部ステージ１７２とを備え、回転体挿入部１７６ａ，１７６ｂは下部ステージ１７２側に設けられているため、回転体６５ａ，６５ｂの位置に到達するまでの遊技球の動きに変化を持たせることができ、更に興趣が向上する利点がある。
【００９６】
ステージ部材１２５には、上部ステージ１７１から下部ステージ１７２側に遊技球を落下させる上部落下案内部１９１が設けられ、この上部落下案内部１９１は、回転体６５ａ，６５ｂの下部側方落下案内部１８３側に対応して設けられているため、上部ステージ１７１から下部ステージ１７２側に落下する遊技球を回転体６５ａ，６５ｂの搬送方向下流側に案内することができる。
【００９７】
上部落下案内部１９１は、上部ステージ１７１から下部ステージ１７２側に落下する遊技球を回転体６５ａ，６５ｂ側に案内する回転体側案内手段１９８を備えているため、上部ステージ１７１から下部ステージ１７２側に落下する遊技球を回転体６５ａ，６５ｂの搬送方向下流側により確実に案内することができる。
【００９８】
以上、本発明の各実施形態について詳述したが、本発明はこれら各実施形態に限定されるものではなく、本発明の趣旨を逸脱しない範囲で種々の変更が可能である。例えば、回転体６５ａ，６５ｂの吸着手段は、例えば負圧により遊技球を吸着させるもの等であってもよい。
【００９９】
また、回転体６５ａ，６５ｂは遊技球を所定方向へ搬送可能であればよく、吸着手段以外の手段で遊技球を保持するように構成してもよい。例えば、図１７（ｂ）に示すように、回転体６５ａ，６５ｂの外周面に凹部２０１又は突部を設け、この凹部２０１又は突部により遊技球を保持して搬送するように構成してもよい。或いは、回転体６５ａ，６５ｂの外周面に遊技球を粘着可能な粘着部を設け、この粘着部により遊技球を保持して搬送するように構成してもよい。回転体６５ａ，６５ｂはその外周が円筒面状に形成されている必要はなく、多角形状、その他の任意の形状を採用できる。
【０１００】
作動案内手段として回転体以外のものを用いてもよい。例えば、図１７（ｂ）に示すように、上部ステージ１７１側から落下する遊技球の方向を複数方向に切り換える揺動手段２０２等の往復移動手段を用いてもよい。
【０１０１】
吸着位置認識マークは、回転体６５ａ，６５ｂの外周面に貼着する装飾シートに印刷したものの他、例えば回転体６５ａ，６５ｂの外周面に印刷、凹凸加工等により直接形成してもよい。
【０１０２】
回転体等の作動案内手段は、１個でもよいし３個以上設けてもよい。またステージは、上部ステージ１７１と下部ステージ１７２との２段構成に限られるものではなく、１段でもよいし３段以上設けてもよい。
【０１０３】
実施形態では、ステージ及び作動案内手段を設けた球誘導装置として液晶表示手段２９を備えた中央ユニット２３を例に挙げて説明したが、その他の球誘導装置、例えば球の誘導のみを主な目的とする遊技部品においても同様に実施可能である。
【０１０４】
更に、実施形態ではパチンコ機を例に挙げて説明したが、アレンジボール機、雀球遊技機等のその他の弾球遊技機であっても同様に実施可能であることは言うまでもない。
【０１０５】
【発明の効果】
本発明によれば、遊技球が不特定時間だけ滞留可能で且つ滞留中の遊技球を所定方向へ落下させるべく誘導するステージ１７１，１７２と、所定の機械的動作によりステージ１７１，１７２上の遊技球を所定方向に案内する作動案内手段６５ａ，６５ｂとを有する球誘導装置２３を、遊技盤１３上の所定位置に装着した弾球遊技機において、球誘導装置２３は、遊技盤１３の前側から装着される前構造体４１と、遊技盤１３の後側から装着される後構造体４２とを備え、後構造体４２側には作動案内手段６５ａ，６５ｂが、前構造体４１側には、ステージ１７１，１７２と、作動案内手段６５ａ，６５ｂが後側から挿脱可能に挿入される挿入部１７６ａ，１７６ｂとが夫々設けられているため、ステージ上の遊技球を機械的動作により所定方向に案内する回転体６５ａ，６５ｂを設けているにも拘わらず、中央ユニット２３における前構造体４１側を小型化して遊技領域を広く利用することができ、また球誘導装置２３の組み立て作業、即ち前構造体４１と後構造体４２との組み立て作業を極めて容易に行うことができる。
【図面の簡単な説明】
【図１】本発明の一実施形態を示すパチンコ機の正面図である。
【図２】本発明の一実施形態を示すパチンコ機の遊技盤の正面図である。
【図３】本発明の一実施形態を示す中央ユニットの縦断面図である。
【図４】本発明の一実施形態を示す中央ユニットの前構造体の斜視図である。
【図５】本発明の一実施形態を示す中央ユニットの後構造体の斜視図である。
【図６】本発明の一実施形態を示す後構造体の作動ユニットの正面図である。
【図７】本発明の一実施形態を示す後構造体の作動ユニットの横断面図である。
【図８】本発明の一実施形態を示す作動ユニット及び周辺部の分解斜視図である。
【図９】本発明の一実施形態を示す前構造体の本体枠の正面部分断面図である。
【図１０】本発明の一実施形態を示す前構造体の表示枠の正面図である。
【図１１】本発明の一実施形態を示す前構造体の分解断面図である。
【図１２】本発明の一実施形態を示す中央ユニットの通路ケース近傍の縦断面図である。
【図１３】本発明の一実施形態を示す中央ユニットのステージ部材近傍の縦断面図である。
【図１４】本発明の一実施形態を示す前構造体及び後構造体の分解横断面図である。
【図１５】本発明の一実施形態を示す中央ユニットの部分縦断面図である。
【図１６】本発明の一実施形態を示すステージ上での遊技球の誘導状態の説明図である。
【図１７】本発明の作動案内手段の他の一例を示す説明図である。
【符号の説明】
１３    遊技盤
２３    中央ユニット（球誘導手段）
２４    特別図柄始動手段（遊技球検出手段）
４１    前構造体
４２    後構造体
６５ａ，６５ｂ    回転体（作動案内手段）
１０６    磁石（吸着手段）
１１０    第２吸着位置認識マーク（吸着位置認識マーク）
１２６    入球口（入球部）
１７１    上部ステージ
１７２    下部ステージ
１７６ａ，１７６ｂ    回転体挿入部（挿入部）
１７９    前カバー部
１８１    透視窓
１８２    下部中央落下案内部（第１落下案内部）
１８３    下部側方落下案内部（第２落下案内部）
１９１    上部落下案内部（第３落下案内部）
１９８    回転体側案内手段
【図１】
2004357845.tif 000003
【図２】
2004357845.tif 000004
【図３】
2004357845.tif 000005
【図４】
2004357845.tif 000006
【図５】
2004357845.tif 000007
【図６】
2004357845.tif 000008
【図７】
2004357845.tif 000009
【図８】
2004357845.tif 000010
【図９】
2004357845.tif 000011
【図１０】
2004357845.tif 000012
【図１１】
2004357845.tif 000013
【図１２】
2004357845.tif 000014
【図１３】
2004357845.tif 000015
【図１４】
2004357845.tif 000016
【図１５】
2004357845.tif 000017
【図１６】
2004357845.tif 000018
【図１７】
2004357845.tif 000019